(57)【要約】【課題】  段積みしても嵩張らず、また開放操作しても光ファイバにストレスが加わることのない光ファイバ余長収納トレイを提供する。【解決手段】  単心或いはテープ心から成る光ファイバ１を巻回収納可能とする板状の本体１と、単心の光ファイバ１本を巻回収納可能として前記本体１の開放面を閉塞する蓋板２とを、双方に一体形成されたヒンジ部３で連結して形成し、本体１に設けた接続部保持部７と、蓋板２に設けた接続部保持部７とを、閉じた際に重ならないようにヒンジ部３に対して非対称に配置した。ヒンジ部３の両端に切り欠き部１２を設けて光ファイバ４の入出を自在とし、トレイ同士を積み重ねて連結するための棒状連結片１４ａと把持片１４ｂを設けた。【選択図】  図１
2006235272.tif 000002
【特許請求の範囲】
【請求項１】
単心或いはテープ心から成る光ファイバ１本の余長分を巻回収納可能とすると共にその光ファイバの接続部保持部を備えた薄箱状の本体と、単心の光ファイバ１本の余長分を巻回収納可能とすると共にその光ファイバの接続部保持部を備えて前記本体の開放面を閉塞する蓋板とから成る光ファイバ余長収納トレイであって、
本体と蓋板とはヒンジ部を介して開閉可能に連結されて成ると共に、閉じたトレイ同士を積み重ねて連結するための連結手段を有し、
更に本体の接続部保持部と、蓋板の接続部保持部とが、ヒンジ部に対して非対称に配置され、閉じた際に重ならないことを特徴とする光ファイバ余長収納トレイ。
【請求項２】
ヒンジ部の両端に連続する本体及び蓋板に、光ファイバの入出を自在とする切り欠き部を備えて成る請求項１記載の光ファイバ余長収納トレイ。
【請求項３】
連結手段は、重ね合わせられる一方のトレイの蓋板と他方のトレイの本体との間に形成し、重ね合わせた状態で、任意のトレイの本体と蓋板とが開閉可能である請求項１又は２記載の光ファイバ余長収納トレイ。
【請求項４】
本体、蓋板、及びヒンジ部は、弾性を有する合成樹脂により一体に形成されて成る請求項１乃至３の何れかに記載の光ファイバ余長収納トレイ。
【発明の詳細な説明】
【技術分野】
【０００１】
本発明は、光ファイバの余長分を収容する光ファイバ余長収納トレイに関し、特に段積みを可能とした光ファイバ余長収納トレイに関する。
【背景技術】
【０００２】
電柱に架空された光ファイバ同士を接続する場合、或いは屋内に引き込む場合等、心線同士を接続したり光ファイバの余長分を収容する場合には、光ファイバ余長収納トレイを内部に設けた箱体（クロージャ）が使用される。このようなトレイの中には、メンテナンス作業等をし易くするために、個々のトレイに光ファイバを１本づつ収納してトレイを段積みすることで複数の光ファイバの収納に対応させたものがある（例えば、特許文献１参照）。
【特許文献１】特開平９−１０５８２２号公報
【発明の開示】
【発明が解決しようとする課題】
【０００３】
しかし、従来の積み重ねを可能としたものは、ヒンジ連結して段積みしたまま個々の段を開放可能として作業性の改善を図ったりしているが、開放した際の回転操作等で光ファイバにストレスが加わり、特性や寿命に悪影響を与える場合があった。
また、特許文献１に開示された構成のものは、開閉した際に光ファイバに加わるストレスを小さくする工夫が成されているが、まだ光ファイバにストレスが加わる場合があったし、光ファイバの数に比例して重ねるトレイの数が増加するため、厚みが増し易く多数の光ファイバに対応可能とする為には大きなクロージャを用意しなければならなかった。
【０００４】
そこで、本発明はこのような問題点に鑑み、段積みしても嵩張らず、また開放操作しても光ファイバにストレスが加わることのない光ファイバ余長収納トレイを提供することを目的とする。
【課題を解決するための手段】
【０００５】
上記課題を解決する為に、請求項１に記載の発明は、単心或いはテープ心から成る光ファイバ１本の余長分を巻回収納可能とすると共にその光ファイバの接続部保持部を備えた薄箱状の本体と、単心の光ファイバ１本の余長分を巻回収納可能とすると共にその光ファイバの接続部保持部を備えて前記本体の開放面を閉塞する蓋板とから成る光ファイバ余長収納トレイであって、本体と蓋板とはヒンジ部を介して開閉可能に連結されて成ると共に、閉じたトレイ同士を積み重ねて連結するための連結手段を有し、更に本体の接続部保持部と、蓋板の接続部保持部とが、ヒンジ部に対して非対称に配置され、閉じた際に重ならないことを特徴とする。
この構成により、１つのトレイで２本の光ファイバを収納する形態であっても、互いに独立して収納するので、トレイに１本ずつ収納するのと同様に光ファイバを取り出しやすく、分岐作業や撤去作業等のメンテナンス等をし易い。また、蓋板の厚みを本体の厚みより薄くできるし、閉じた時に保持された保護スリーブ同士が当接することがないため、２本の光ファイバを分離して収納する形態であっても、トレイ全体の厚みを保護スリーブを装着した光ファイバ１本分の厚み近くまで薄くすることが可能となる。そのため、光ファイバを効率良く収納でき、段積みしても嵩張りを小さくできる。
更に、蓋板がヒンジ部により本体に連結されているので、開閉操作がし易いし、連結手段によりトレイ同士を積み重ねた状態で連結できるので、多数の光ファイバを収容する場合でも扱い易く作業性が良い。
【０００６】
請求項２の発明は、請求項１に記載の発明において、ヒンジ部の両端に連続する本体及び蓋板に、光ファイバの入出を自在とする切り欠き部を設けて成ることを特徴とする。
この構成により、本体と蓋板とを開閉操作する際、移動の少ないヒンジ部近くに光ファイバを入出自在とする切り欠き部を設けたのでトレイに入出する光ファイバへのストレスを小さくできる。
【０００７】
請求項３の発明は、請求項１又は２記載の発明において、連結手段は、重ね合わせられる一方のトレイの蓋板と他方のトレイの本体との間に形成し、重ね合わせた状態で、任意のトレイの本体と蓋板とが開閉可能であることを特徴とする。
この構成により、重ね合わせた状態でも、本体と蓋板とを開閉操作できるので、メンテナンス等をし易い。
【０００８】
請求項４の発明は、請求項１乃至３の何れかに記載の発明において、本体、蓋板、及びヒンジ部は、弾性を有する合成樹脂により一体に形成されて成ることを特徴とする。
この構成により、別途ヒンジ部材が必要ないので、部品数を削減できるしコストを削減できる。
【発明の効果】
【０００９】
本発明によれば、１つのトレイで２本の光ファイバを収納する形態であっても、互いに独立して収納するので、トレイに１本ずつ収納するのと同様に光ファイバを取り出しやすく、分岐作業や撤去作業等のメンテナンス等をし易い。また、蓋板の厚みを本体の厚みより薄くできるし、閉じた時に保持された保護スリーブ同士が当接することがないため、２本の光ファイバを分離して収納する形態であっても、トレイ全体の厚みを保護スリーブを装着した光ファイバ１本分の厚み近くまで薄くすることが可能となる。そのため、光ファイバを効率良く収納でき、段積みしても嵩張りを小さくできる。
また、本体と蓋板とを開閉操作する際、移動の少ないヒンジ部近くを切り欠いて光ファイバを入出自在としたので収納した光ファイバへのストレスを小さくできる。
【発明を実施するための最良の形態】
【００１０】
以下、本発明を具体化した実施の形態を、図面に基づいて詳細に説明する。図１は本発明に係る光ファイバ余長収納トレイを示し、（ａ）は開いた状態の正面図、（ｂ）はその右側面図を示している。図１に於いて、１は本体、２は蓋板、３はヒンジ部、４は光ファイバを示し、本体１及び蓋板２は共に薄く形成され、本体１と蓋板２の内面を前方に向けた状態を示している。また、全体は合成樹脂により一体に形成され、矢印Ａは開閉操作方向を示し、Ｍはヒンジ部３の回転中心を示している。
【００１１】
本体１は、単心或いはテープ心の光ファイバの何れでも収納可能に、即ち単心より径の大きい（幅の大きい）テープ心に対応する厚みを設けて形成され僅かな厚みの箱体、即ち薄箱状に形成され、前面全体が開口されている。また、蓋板２は本体１と略同一外形で形成され、本体１の前面を閉塞するよう形成され、単心の光ファイバのみ収納可能に本体１より薄く形成されている。そして、本体１と蓋板２の双方に、保護スリーブ６（図２に示す）で保護した光ファイバ接続部を保持する接続部保持部（以下、単に保持部とする）７、光ファイバを収納空間に導入するための導入溝８、収納した光ファイバを保持する保持爪９、光ファイバの巻回を案内する案内筒１０が設けられている。
【００１２】
保持部７は、本体１と蓋板２に１箇所ずつ設けられ、双方ともヒンジ部３に平行にヒンジ部３の近傍に配置されている。そして、保護スリーブ６を上下から挟持する帯状体として形成されて、本体１に形成された保持部７が、蓋板２に形成された保持部７よりヒンジ部３から遠く配置されている。また、導入溝８は、一旦収納した光ファイバが簡易に飛び出すことがないように、周囲の壁部１ａ，２ａと案内筒１０の間に左右に架け渡された帯体の一部を切断して形成され、斜めの切り欠きとして形成されている。
【００１３】
保持爪９は、本体１と蓋板２の周囲の複数箇所に、周囲の壁部１ａ，２ａから内側に突出して設けられている。また、案内筒１０は、本体１及び蓋板２の中央部に、左右一対の楕円状突起として形成されている。
【００１４】
更に、ヒンジ部３の左右端部から左右に且つ斜めに広く切り欠いたように形成された切り欠き部１２が、本体１及び蓋板２に設けられている。この切り欠き部１２は、壁部がなく、光ファイバの入出を容易とし、また収納した光ファイバが露出するよう形成され、トレイの外形は貝のような形状となっている。
尚、本体１には別途開口部１ｂが開放端側に設けられ、この部位でも光ファイバの入出が可能となっている。
【００１５】
本体１、蓋板２の周囲には、本体１と蓋板２とを閉じた閉塞状態を保持する係止手段、トレイ同士を連結するための連結手段が設けられている。
蓋板２の開口端側中央には、係止手段の一方を構成する係止爪１３ａが設けられ、対応する本体１の開口端側中央には係止爪１３ａを係止させる係止手段の他方を構成する爪受け１３ｂが設けられている。
そして、ヒンジ部３近傍の本体１側には、連結手段の一方を構成する棒状連結片１４ａがヒンジ部３に平行する左右に突設して設けられ、本体１の開放端部側にも同様に棒状連結片１４ａが一対突設されている。
【００１６】
一方、ヒンジ部３近傍の蓋板２側には、本体１に設けた棒状連結片１４ａを把持する連結手段の他方を構成する把持片１４ｂが外方に向けて一対突出形成され、開放端部側にも同様に把持片１４ｂが外方に向けて一対突出形成されている。この把持片１４ｂはヒンジ部３と同様に弾性を有する合成樹脂で形成されているため、スムーズに棒状連結片１４ａを把持して連結できるし、容易に連結解除できる。
【００１７】
次に、このように形成されたトレイの使用方法を図２、図３を基に説明する。図２の側面図はトレイ同士を段積みして連結した状態を示し、図３の正面図はクロージャ内に装着したトレイの正面図を示している。図２では、６個のトレイを段積みし、４段目のトレイを開放した状態を示し、図３ではトレイは閉じた状態、クロージャは開いた状態を示し、２０は光ファイバ余長収納トレイを示している。
個々のトレイの連結は、下段（図示後方）の蓋板２に形成された把持片１４ｂに、その上段（図示前方）に配置されるトレイの本体１に形成された棒状連結片１４ａを挿入係止させることで実施される。
【００１８】
そして、図２の構成の場合、本体１と蓋板２の双方に１本づつ収納できるので、１つのトレイに２本の光ファイバを収納でき、６段に連結することで最高１２本の光ファイバを収納可能となり、そのうちの６本までをテープ心線とすることができる。
また、保護スリーブ６を本体１と蓋板２の双方に保持させても、双方の保護スリーブ６が当接することがないし、図示するように段積みした状態で任意のトレイ２０を開放することができる。
【００１９】
図３において、２１はクロージャ（２１ａはクロージャ本体、２１ｂはクロージャ蓋板）、２２は支持線を示している。この図３に示すように、トレイ２０は、通常クロージャ２１の本体２１ａに組み付けてクロージャ内に配置され、光ファイバ４を引き込んで余長分及び接続部を収納する。収納する光ファイバ４は、切り欠き部１２或いは本体側開口部１ｂから導入され、本体１或いは蓋板２に収納される。収納操作は、導入溝８から挿入し、各保持爪９に保持させて案内筒１０を利用して巻回収納される。
また、保護スリーブ６で保護された光ファイバ４の接続部は、保持部７に保持されて、切り欠き部１２から送出される。
尚、この図３に示すように、本体１の開口部１ｂは、収納する光ファイバ４をトレイ２０からはみ出させて大きな曲率で巻回収容する際有効に利用でき、開口部１ｂと切り欠き部１２を利用して、光ファイバ４を余裕を持って巻回保持させることができる。
【００２０】
このように、１つのトレイで２本の光ファイバを収納する形態であっても、互いに独立して収納するので、トレイに１本ずつ収納するのと同様に光ファイバを取り出しやすく、分岐作業や撤去作業等のメンテナンス等をし易い。また、蓋板の厚みを本体の厚みより薄くできるし、閉じた時に保持された保護スリーブ同士が当接することがないため、２本の光ファイバを分離して収納する形態であっても、トレイ全体の厚みを保護スリーブを装着した光ファイバ１本分の厚み近くまで薄くすることが可能となる。そのため、光ファイバを効率良く収納でき、段積みしても嵩張りを小さくできる。
また、蓋板がヒンジ部により本体に連結されているので、開閉操作がし易いし、連結手段によりトレイ同士を積み重ねた状態で連結できるので、多数の光ファイバを収容する場合でも扱い易く作業性が良い。
更に、本体と蓋板とを開閉操作する際、移動の少ないヒンジ部近くに光ファイバを入出自在とする切り欠き部を設けたのでトレイに入出する光ファイバへのストレスを小さくできる。
また、重ね合わせた状態でも、任意のトレイの本体と蓋板とを開閉操作できるので、メンテナンス等をし易いし、ヒンジ部が本体及び蓋板に一体形成されるので、別途ヒンジ部材が必要なく部品数を削減できるしコストを削減できる。
【００２１】
尚、トレイ２０のクロージャ２１への組み付けは、図４に示すように蓋板２に設けた把持片１４ｂと同様な把持固定片２３をクロージャ２１の本体２１ａ内に設けることで、クロージャ２１にトレイ２０を簡易に固定でき、着脱操作を簡易に実施できる。
また、上記実施形態では、接続部保持部を本体１、蓋板２ともヒンジ部３の近傍に設けたが、一方を開放端側に設けても良い。
また、図２では全てのトレイ２０を同一方向に向けて段積みしているが、途中から上下を反転させて連結しても良い。
【図面の簡単な説明】
【００２２】
【図１】本発明に係る光ファイバ余長収納トレイの実施形態の一例を示し、（ａ）は開けた状態の正面図、（ｂ）はその右側面図である。
【図２】図１のトレイを段積みして連結した状態を示し、途中の１つを開けた状態の側面図である。
【図３】図１のトレイをクロージャに組み付けた状態を示し、クロージャを開けた状態を示している。
【図４】図３のクロージャのトレイ取付部を示す説明図である。
【符号の説明】
【００２３】
１・・本体、２・・蓋板、３・・ヒンジ部、４・・光ファイバ、６・・保護スリーブ、７・・接続部保持部、１２・・切り欠き部、１３ａ・・係止爪、１３ｂ・・爪受、１４ａ・・棒状連結片（連結手段）、１４ｂ・・把持片（連結手段）、２０・・光ファイバ余長収納トレイ。
【図１】
2006235272.tif 000003
【図２】
2006235272.tif 000004
【図３】
2006235272.tif 000005
【図４】
2006235272.tif 000006